(57)【要約】【課題】樹脂パレットのサイズと異なる物品でも載置でき、しかも、ホークリフトでパレットを移動する場合、樹脂パレット上の物品が脱落するのを防止することができる載置物品落下防止治具を提供する。【解決手段】載置物品落下防止治具の一体金具Ａはその下向き突出片４が樹脂パッレト６の表面に設けられた多数の開口６１に挿入され、固定される。同様に一体金具Ｃの下向き突出片５１，５２が樹脂パレット６の開口６１に挿入・固定される。一体金具Ａは物品の短辺に沿って２個ずつ配置される。物品の長辺に沿っては一体金具Ｃが２個ずつ配置される。その結果、計８個の上向き突出片３および３２の間に樹脂パレット６よりも小さな物品７を挟持、固定することができる。このようにして物品７を載置した樹脂パレット６の側面の２つのホーク孔にホークリフトのホークを差し込んで物品７を樹脂パレット６ごと持ち上げて物品収納棚に収納することができる。【選択図】図７
2008155921.tif 000002
【特許請求の範囲】
【請求項１】
金属製の長尺板の上面に１個の載置物品保持用の上向き突出片が、該長尺板の下側には少なくとも１個のホークリフト用樹脂パレットの表面に設けられた多数の開口に挿入できる下向き突出片がそれぞれ設けられた一体金具よりなることを特徴とする載置物品落下防止治具。
【請求項２】
上記上向き突出片は上記長尺板の端部に１個、上記下向き突出片は上記長尺板の他端に１個それぞれ設けられていることを特徴とする請求項１に記載されている載置物品落下防止治具。
【請求項３】
上記上向き突出片は上記長尺板の端部に１個、上記下向き突出片は上記長尺板の他端に２個並列してそれぞれ設けられていることを特徴とする請求項１に記載されている載置物品落下防止治具。
【請求項４】
上記上向き突出片は上記長尺板の上面に１個、上記下向き突出片は上記長尺板の両端に１個ずつそれぞれ設けられていることを特徴とする請求項１に記載されている載置物品落下防止治具。
【請求項５】
上記上向き突出片は上記長尺板の上面の中央より若干左右いずれかに偏って設けられていることを特徴とする請求項４に記載されている載置物品落下防止治具。
【請求項６】
上記長尺板の一端に上向き突出片が１個、該長尺板の他端に下向き突出片が１個それぞれ設けられている一体金具Ａと、上記長尺板の一端に上向き突出片が１個、該長尺板の他端に下向き突出片が２個並列してそれぞれ設けられている一体金属金具Ｂおよび上記長尺板の上面に上向き突出片が１個、該長尺板の両端に下向き突出片が１個ずつそれぞれ設けられている一体金属金具Ｃのセットよりなることを特徴とする請求項１に記載されている載置物品落下防止治具。
【請求項７】
少なくとも３個の上記一体金具Ａ、Ｂ又はＣのいずれかを上記樹脂パレットの表面に設けられた開口に挿入固定して該樹脂パレット上に載置した物品を固定するために使用することを特徴とする請求項１に記載されている載置物品落下防止治具。
【発明の詳細な説明】
【技術分野】
【０００１】
本発明は、ホークリフトの樹脂パレット上に載置した物品が移動中にずれて落下しないようにするための載置物品落下防止治具に関し、特に大型金型等重量の重い物品を物品整理棚にホークリフトを用いて収納又は取出しする際に、樹脂パレット上に載置した物品が落下するのを防止するための載置物品落下防止治具に関する。
【背景技術】
【０００２】
物品整理棚にホークリフトを使用して特定の物品を収納又は取出す際に、物品の収納および取出しを容易にするために樹脂パレットを使用している。この樹脂パレットは、特開２００２−１２０８３８号公報に例示されているように、硬質合成樹脂製の方形のブロックの側面にホークリフトの爪が挿入できる２個の孔が開けられている。通常、樹脂パレットの表面には大小さまざまな開口が開けられており、また、その表面は非常に滑りやすい特性を持っている。
【特許文献１】特開２００２−１２０８３８号公報
【０００３】
物品整理棚に収納する物品は先ず、パレット上に載置される。ホークリフトの爪をパレットの差し込みパレットごと物品を持ち上げ所定の棚に物品をパレットごと挿入する。この際、物品整理棚には収納されたパレットが地震などの震動によって滑り落ちないように、落下防止用の滑り止めが設けられている。
【０００４】
この滑り止めは、通常、棚の入り口に数個のストッパーが棚板に枢着されていて、転倒・起立自在に取付けられている。物品を収納するときは、このストッパーを転倒させ、障害物が無い状態でパレットを棚に差し込む、収納が終わればストッパーを起立させてパレットが滑り落ちないようにする。
【０００５】
ところがこのストッパーの転倒・起立の操作は人力で行わなければならないので、ホークリフトの操作員は一々ホークリフトから降りて、このストッパーを転倒および起立の操作を行わなければならない。
【０００６】
また、収納しようとする物品は、パレットの上に載置されただけで、作業能率を阻害するので特別の固定手段などは備えていないのが通常である。従って、ホークリフトで物品を載置したパレットを移動させる場合、ずれたり、場合によっては落下するという危険が伴っている。
【０００７】
そこで、４隅に山形鋼を配置した底のない箱形の枠をパレットに嵌め込み物品の落下を防止するパレットガードが提案されている（特開２００３−３２７２４５号公報）。
【特許文献２】特開２００３−３２７２４５号公報
【発明の開示】
【発明が解決しようとする課題】
【０００８】
上記特開２００３−３２７２４５号公報に記載された発明のパレットガードは底のない箱形の枠を使用しているので、小型の金型などを載せた場合は、金型自体が固定されていないので枠内で移動し、場合によっては転動して、金型を傷つける場合がある。また、金型には大小さまざまのものがあり、大型の金型の場合は載せることができない。金型は重量が大きいので枠型をしているとその中に入れるための操作が難しくなる等の欠点がある。
【０００９】
本発明は、ホークリフトを使用して物品を載せたパレットを収納棚に収納する場合、パレットのサイズと異なる物品でも載置でき、しかも、パレット上の物品の脱落を防止することができる載置物品落下防止治具を安価に提供することを第１の目的とする。
【００１０】
本発明は、ホークリフトを使用して物品を載せたパレットを収納棚に収納する場合、収納棚の入り口に設けたパレット脱落防止用のストッパーを起立・転動させるためにホークリフトの操作員がホークリフトより降りて操作しなくてすむ載置物品落下防止治具を提供することを第２の目的とする。
【課題を解決するための手段】
【００１１】
本発明の載置物品落下防止治具は、金属製の長尺板の上面に１個の載置物品保持用の上向き突出片が該長尺板に対してほぼ垂直に設けられ、該長尺板の下側には少なくとも１個のホークリフト用樹脂パレットの表面に設けられた多数の開口に挿入できる下向き突出片が該長尺板に対してほぼ垂直に設けられた一体金具よりなることを特徴とする。
【００１２】
上記一体金具としては、上向き突出片が上記長尺板の一端に１個、上記下向き突出片が上記長尺板の他端に１個それぞれ設けられている一体金具Ａと、上記上向き突出片が上記長尺板の端部に１個、上記下向き突出片が上記長尺板の他端に２個並列してそれぞれ設けられている一体金具Ｂと、上記上向き突出片が上記長尺板の上面に１個、上記下向き突出片が上記長尺板の両端に１個ずつそれぞれ設けられている一体金具Ｃの３種類を挙げることができる。
【００１３】
上記一体金具Ａ，ＢおよびＣはそれぞれ単独で又は組み合わせて使用することができる。いずれにせよ、少なくとも３個、好ましくは８個の上記一体金具を上記樹脂パレットの表面に設けられた開口に挿入固定して該樹脂パレット上に載置した物品を固定するために使用する。
【発明の効果】
【００１４】
本発明の載置物品落下防止治具は、金属製の長尺板の上面に１個の載置物品保持用の上向き突出片が、該長尺板の下側には少なくとも１個のホークリフト用樹脂パレットの表面に設けられた多数の開口に挿入できる下向き突出片がそれぞれ設けられた一体金具よりなるので、この一体金具を少なくとも３個使用して樹脂パレット上に物品を固定することにより、ホークリフトを使用して物品を載せたパレットを収納棚に収納する場合、パレット上の物品が転動したり脱落するのを防止することができる。
【００１５】
本発明の載置物品落下防止治具は、上向き突出片が長尺板の一端に１個、下向き突出片が長尺板の他端に１個それぞれ設けられている一体金具Ａと、上向き突出片が長尺板の端部に１個、下向き突出片が長尺板の他端に２個並列してそれぞれ設けられている一体金具Ｂと、上向き突出片が長尺板の上面に１個、下向き突出片が長尺板の両端に１個ずつそれぞれ設けられている一体金具Ｃの３種類を備えているので、樹脂パレット上に載置すべき物品の大小、形状に応じて一体金具の種類を選択使用することにより、パレットよりも大きな物品でも小さな物品でも載置でき、その脱落を防止することができる。
【００１６】
本発明の載置物品落下防止治具を使用すれば、ホークリフトを使用して物品を載せたパレットを収納棚に収納する場合、パレットが多少傾斜してもパレット上の物品の脱落を防止することができるので、収納棚の入り口に簡単なパレット滑り止めの敷居を設ければ、その敷居を越えてパレットを収納棚に差し込み、パレットが敷居より内部に収まったときにホークを引き抜けば、操作員はホークリフトに乗ったままで操作でき、いちいちホークリフトを降りる必要はなくなる。
【発明を実施するための最良の形態】
【００１７】
本発明の最良の実施形態を次の実施例によって説明する。
【実施例】
【００１８】
（実施例１）
図１は本発明の載置物品落下防止治具の斜面図、図２はその側面図である。
載置物品落下防止治具１は金属製の長尺板２の一端に上向き突出片３を設け、長尺板２の他端に下向き突出片４を設けた一体金具Ａよりなるものである。４３は下向き突出片４に設けた重量軽減用の打ち抜き孔である。一体金型Ａは樹脂パレット６よりもやや小さな物品を保持するのに都合がよい。
【００１９】
（実施例２）
図３は本発明の他の形態の載置物品落下防止治具の斜面図、図４はその側面図である。
載置物品落下防止治具１は金属製の長尺板２の一端に上向き突出片３を設け、長尺板１の他端に下向き突出片４１、４２を平行に設けた一体金具Ｂよりなるものである。４１１、４２１は下向き突出片４１、４２に設けた重量軽減用の打ち抜き孔である。一体金具Ｂは樹脂パレット６よりも大きな物品を保持するのに都合がよい。
【００２０】
（実施例３）
図５は本発明のさらに他の形態の載置物品落下防止治具の斜面図、図６はその側面図である。載置物品落下防止治具１は金属製の長尺板２の上面に上向き突出片３２を設け、長尺板２の両端に下向き突出片５１，５２を設けた一体金具Ｃよりなるものである。上向き突出片３２は中央よりか左右いずれかにずれた位置に設けるのが好ましい。このようにずれた位置に設けることにより、物品の大きさに応じて一体金具Ｃの向きを逆転させれば２通りの長さの留め具として使用することができる。この一体金具Ｃは樹脂パレット６よりも可成り小さな物品を保持するのに都合がよい。
【００２１】
これらの載置物品落下防止治具１は同一の一体金具を数個使って物品を樹脂パレットに固定する。場合によっては種類の違う一体金具を組み合わせて物品を樹脂パレットに固定しても良い。例えば、三角形の物品の場合は、最低３個の一体金具を使用すれば固定することができる。方形の物品の場合は最低４個の一体金具を使用すれば物品を固定することができるが、１辺に２個ずつ計８個の一体金具を使用するのが好ましい。その具体的な使用方法を次に説明する。
【００２２】
図７は樹脂パレットに一体金具Ａおよび一体金具Ｃを取り付けた平面図、図８は側面図、図９は他の側面図である。樹脂パレット６は図１３に示すようにその表面に多数の規則的な開口６１、６１…が設けられている。又その側面にはホーク孔６２，６２が２個ずつ設けられている。このホーク孔６２，６２にホークリフトのホークを差し込んで、物品を載せた樹脂パレット６を持ち上げ、物品整理棚に挿入し、物品を樹脂パレットごと物品整理棚に残留させる。
【００２３】
この例では樹脂パレット６よりも小さな物品を載置する場合の例であって、樹脂パレット６の表面には一体金具Ａが４個、一体金具Ｃが４個取り付けられ、その４個の上向き突出片３および４個の上向き突出片３２の間には物品７が挟持される。一体金具Ａの下向き突出片４は樹脂パレット６の表面に設けられた開口６１に挿入されて固定される。また、一体金具Ｃの両端の下向き突出片は５１，５２は２つの開口６１，６１に挿入される。
【００２４】
図１０は樹脂パレットに一体金具Ａおよび一体金具Ｂを取り付けた平面図、図１１は側面図、図１２は他の側面図である。この例では樹脂パレット６よりも大きな物品を保持する場合に都合がよい一体金具Ｂを使用する。しかし、物品７の短辺の保持には一体金具Ａで十分である。そこで、一体金具Ｂの２本の突出片４１，４２を樹脂パレット６の２つの開口６１に挿入して固定し、上向き突出片３を樹脂パレット６よりも外側に位置させる。物品７の短辺のためには一体金具Ａの下向き突出片４を樹脂パレットの開口６１に挿入し、樹脂パレット６の表面内に位置する上向き突出片３で物品７の短辺を保持する。
【図面の簡単な説明】
【００２５】
【図１】実施例１の載置物品落下防止治具の平面図。
【図２】図１の側面図。
【図３】実施例２の載置物品落下防止治具の平面図。
【図４】図３の側面図。
【図５】実施例３の載置物品落下防止治具の平面図。
【図６】図５の側面図。
【図７】樹脂パレットに一体金具Ａおよび一体金具Ｃを取り付けた平面図。
【図８】図７の側面図。
【図９】図７の他の側面図。
【図１０】樹脂パレットに一体金具Ａおよび一体金具Ｃを取り付けた平面図。
【図１１】図１０の側面図。
【図１２】図１０の他の側面図。
【図１３】樹脂パレットの平面図。
【符号の説明】
【００２６】
１  載置物品落下防止治具
２  長尺板
３  上向き突出片
４  下向き突出片
６  パレット
７  物品
【図１】
2008155921.tif 000003
【図２】
2008155921.tif 000004
【図３】
2008155921.tif 000005
【図４】
2008155921.tif 000006
【図５】
2008155921.tif 000007
【図６】
2008155921.tif 000008
【図７】
2008155921.tif 000009
【図８】
2008155921.tif 000010
【図９】
2008155921.tif 000011
【図１０】
2008155921.tif 000012
【図１１】
2008155921.tif 000013
【図１２】
2008155921.tif 000014
【図１３】
2008155921.tif 000015